(57)【要約】本発明は、レーザー距離測定器に係るものであり、より詳しくは、互いに相異なる方向にレーザーを送出する第１レーザー発信部及び第２レーザー発信部が備えられ、第１レーザー発信部及び第２レーザー発信部をそれぞれ含む第１モジュール及び第２モジュールの角度調整が可能であることにより、第１特定物体と第２特定物体との間の距離を効果的に測定することができ、また、特定物体の長さを容易に測定できるレーザー距離測定器に関するものである。【選択図】図１
2018519509.tif 000002
【特許請求の範囲】
【請求項１】
レーザーを送出する第１レーザー発信部及び第２レーザー発信部；
前記第１レーザー発信部及び前記第２レーザー発信部からそれぞれ送出され特定物体に反射するレーザーを受信する第１レーザー受信部及び第２レーザー受信部：及び、
前記第１レーザー発信部及び前記第２レーザー発信部と前記特定物体との間の距離を計算する演算部；を含み、
前記第１レーザー発信部及び前記第２レーザー発信部は互いに相異なる方向にレーザーを送出することを特徴とする、レーザー距離測定器。
【請求項２】
前記第１レーザー発信部及び前記第２レーザー発信部は、互いに相異なる方向にレーザーを送出することを特徴とする、請求項１に記載のレーザー距離測定器。
【請求項３】
前記演算部は、前記レーザーが送出された時間と受信された時間に基づき、前記第１レーザー発信部及び前記第２レーザー発信部それぞれと、前記特定物体との間の距離を計算することを特徴とする、請求項１に記載のレーザー距離測定器。
【請求項４】
前記演算部は、前記第１レーザー発信部と前記特定物体との間の距離及び前記第２レーザー発信部と前記特定物体との間の距離の合計を計算することを特徴とする、請求項１に記載のレーザー距離測定器。
【請求項５】
前記第１レーザー発信部及び前記第１レーザー受信部を含む第１モジュール；及び、
前記第２レーザー発信部及び前記第２レーザー受信部を含む第２モジュール；をさらに含むことを特徴とする、請求項１に記載のレーザー距離測定器。
【請求項６】
前記第１モジュール及び前記第２モジュールは、互いに反対方向に向かうように初期位置が設置されることを特徴とする、請求項５に記載のレーザー距離測定器。
【請求項７】
前記第１モジュール及び前記第２モジュールはそれぞれ、角度調整ができるように構成されることを特徴とする、請求項６に記載のレーザー距離測定器。
【請求項８】
前記第１モジュール及び前記２モジュールはそれぞれ、着脱可能に構成されることを特徴とする、請求項５に記載のレーザー距離測定器。
【請求項９】
前記第１モジュール及び前記第２モジュールとの間の角度を測定する角度測定部；をさらに含むことを特徴とする、請求項５に記載のレーザー距離測定器。
【請求項１０】
前記演算部は、前記第１レーザー発信部及び前記第２レーザー発信部からそれぞれ送出されるレーザーが前記特定物体に反射する距離及び前記角度測定部で測定される夾角を利用して前記特定物体そのものの長さを計算することを特徴とする、請求項９に記載のレーザー距離測定器。
【請求項１１】
前記演算部により計算される、前記第１レーザー発信部及び前記第２レーザー発信部と前記特定物体との間の距離及び前記特定物体そのものの長さのうち、いずれか一つ以上を表示する表示部；をさらに含むことを特徴とする、請求項１０に記載のレーザー距離測定器。
【請求項１２】
前記第１モジュール及び前記２モジュールは、ヒンジ結合されることを特徴とする、請求項５に記載のレーザー距離測定器。
【請求項１３】
前記レーザーが前記第１レーザー発信部及び前記第２レーザー発信部から送出された時間と、前記第１レーザー受信部及び前記第２レーザー受信部により受信された時間とを測定する時間測定部；をさらに含むことを特徴とする、請求項１に記載のレーザー距離測定器。
【請求項１４】
前記レーザーを送出するように指示する一つ以上の動作ボタン；をさらに含むことを特徴とする、請求項１に記載のレーザー距離測定器。
【発明の詳細な説明】
【技術分野】
【０００１】
本出願は、２０１５年０７月０７日付けの韓国特許出願第１０−２０１５−００９６２２９号及び２０１５年１０月２２日付けの韓国特許出願第１０−２０１５−０１４７０４６号に基づく優先権の利益を主張し、該当韓国特許出願の文献に開示されている全ての内容は本明細書の一部として含まれる。
【０００２】
本発明は、レーザー距離測定器に係るもので、より詳しくは、相異なる方向にレーザーを送出する第１レーザー発信部及び第２レーザー発信部が備えられ、第１レーザー発信部及び第２レーザー発信部をそれぞれ含む第１モジュール及び第２モジュールの角度調整が可能であることにより、第１特定物体と第２特定物体との間の距離を効果的に測定でき、また、特定物体の長さを容易に測定できるレーザー距離測定器に関するものである。
【背景技術】
【０００３】
一般的に産業現場、建築現場、室内インテリアのような産業全般や日常生活で距離を測定するために主に巻尺が使われている。
【０００４】
このような巻尺は、大きいものや広い場所、高さのある物または高い場所を計るときは、１人では計りにくく、２人で協力する必要がある。また、巻尺の材質の特徴上、曲がりやすいので、測定時に巻尺が曲がってしまい、正確な距離測定が難しくなりやすく、特に、測定距離を必ず線形でつなぐ必要があるという問題がある。
【０００５】
このため、レーザービームを利用し、レーザービームが目標物に反射して戻ってくるまでの時間を計り、目標物との距離を計算し、目標物までの距離を測るレーザー距離測定器（ＬＲＦ；Ｌａｓｅｒ  Ｒａｎｇｅ  Ｆｉｎｄｅｒ）が開発された。
【０００６】
このようなレーザー距離測定器は、レーザー光を発射するレーザー送信部と、目標物に反射して戻ってくるレーザー光を受信するレーザー受信部を含み、使用者が距離を測定しようとする目標物にレーザー光を発射すると、発射されたレーザー光が目標物に反射して戻ってくる時間を測定し、この時間から距離を計算してディスプレイする装置である。
【０００７】
このようなレーザー距離測定器は、レーザービームを発し、目標物に反射するレーザービームを受光して距離を測定するため、レーザービームの受光を正確に行わなければならない。
しかし、このようなレーザー距離測定器は、これまで水平距離または垂直距離を測定する用途でのみ使用することができた。
【０００８】
また、水平または垂直の延長線上にターゲットがなければならないという不便さと、測定面の一定距離を測定するにおいて、相当な不便や測定が不可能な問題点があった。
【発明の概要】
【発明が解決しようとする課題】
【０００９】
本発明の目的は、第１レーザー発信部及び第２レーザー発信部それぞれが、互いに反対方向にレーザーを送出するように構成されることで、第１特定物体と第２特定物体との間の距離を測定する際、使用者が第１特定物体及び第２特定物体にレーザーを送出できる状況である限り、どの位置から測定しても、第１特定物体と第２特定物体との間の距離を正確に測定できるレーザー距離測定器を提供することである。
【００１０】
また、本発明の目的は、レーザー距離測定器の角度調整を可能にすることにより、反射板がなくても特定物体の長さを容易に測定できるレーザー距離測定器を提供することである。
【課題を解決するための手段】
【００１１】
本発明の第１の実施例におけるレーザー距離測定器は、レーザーを送出する第１レーザー発信部及び第２レーザー発信部；前記第１レーザー発信部及び前記第２レーザー発信部からそれぞれ送出され特定物体に反射されるレーザーを受信する第１レーザー受信部及び第２レーザー受信部；及び前記第１レーザー発信部及び前記第２レーザー発信部と、前記特定物体との間の距離を計算する演算部；を含むことができる。
【００１２】
前記第１レーザー発信部及び前記第２レーザー発信部は、互いに相異なる方向にレーザーを送出することができる。
【００１３】
前記第１レーザー発信部及び前記第２レーザー発信部は、互いに反対方向にレーザーを送出することができる。
【００１４】
前記演算部は、前記レーザーが送出された時間と受信された時間に基づいて、前記第１レーザー発信部及び前記第２レーザー発信部それぞれと前記特定物体との間の距離を計算することができる。
【００１５】
前記演算部は、前記第１レーザー発信部と前記特定物体との間の距離及び前記第２レーザー発信部と前記特定物体との間の距離の合計を計算することができる。
【００１６】
前記レーザー距離測定器は、前記第１レーザー発信部及び前記第１レーザー受信部を含む第１モジュール；及び前記第２レーザー発信部及び前記第２レーザー受信部を含む第２モジュール；をさらに含むことができる。
【００１７】
前記第１モジュール及び前記第２モジュールは、互いに反対方向を向くように初期位置が設定されることができる。
【００１８】
前記第１モジュール及び前記第２モジュールは、それぞれ角度調整ができるよう構成されることができる。
【００１９】
前記第１モジュール及び前記第２モジュールは、それぞれ着脱が可能になるよう構成されることができる。
【００２０】
前記レーザー距離測定器は、前記第１モジュール及び前記第２モジュールの間の夾角を測定する角度測定部；をさらに含むことができる。
【００２１】
前記演算部は、前記第１レーザー発信部及び前記第２レーザー発信部からそれぞれ送出されるレーザーが、前記特定物体に反射される距離及び前記角度測定部により測定される夾角を利用して前記特定物体そのものの長さを計算することができる。
【００２２】
前記レーザー距離測定器は、前記演算部により計算される前記第１レーザー発信部及び前記第２レーザー発信部と、前記特定物体との間の距離及び前記特定物体そのものの長さのうち、いずれか一つ以上を表示する表示部；をされに含むことができる。
【００２３】
前記第１モジュール及び前記第２モジュールは、ヒンジ結合されることができる。前記レーザー距離測定器は、前記レーザーが前記第１レーザー発信部及び前記第２レーザー発信部から送出された時間と、前記第１レーザー受信部及び前記第２レーザー受信部から受信された時間を測定っする時間測定部；をさらに含むことができる。
【００２４】
前記レーザー距離測定器は、前記レーザーを送出するように指示する一つ以上の動作ボタン；をさらに含むことができる。
【発明の効果】
【００２５】
本発明の一側面によると、第１レーザー発信部及び第２レーザー発信部それぞれが、互いに反対方向にレーザーを送出することにより、第１特定物体と第２特定物体との間の距離を測定する際、使用者が第１特定物体及び第２特定物体にレーザーを送出できる限り、どの位置から測定しても、第１特定物体と第２特定物体との間の距離を正確に測定することができるようになる。
【００２６】
また、レーザー距離測定器の角度調整が可能であることにより、反射板がなくても特定物体の長さを容易に測定することができ、角、スロット又は隅においても、距離や角度を測定することができる。
【００２７】
さらに、レーザー距離測定器を利用して、四角形の横と縦の長さ及び高さを測定することで、四角形の面積も測定することができるようになる。
【図面の簡単な説明】
【００２８】
【図１】本発明の第１の実施例に基づいてレーザー距離測定器を図示した構成図である。
【図２】本発明の第１の実施例に基づいてレーザー距離測定器を利用して物体間の距離を測定する方法に係る概略図である。
【図３】本発明の第２の実施例に基づき、レーザー距離測定器を利用して物体そのものの長さを測定する方法に係る概略図である。
【図４】本発明の第２の実施例に基づき、レーザー距離測定器を利用して物体そのものの長さを測定する計算方法に係る概略図である。
【発明を実施するための形態】
【００２９】
本発明を、添付の図面を参照しながら詳しく説明すると以下の通りである。ここで、重複する説明、本発明の要旨を必要以上に紛らわしくする恐れのある公知の機能及び構成に係る詳細な説明は省略する。本発明を実施するための形態は、当業界において一般的な知識を持つ者に対し、本発明をより完全に説明するために提供されるものである。したがって、図面における要素の形状や大きさ等は、より明確な説明のために誇張されることがあり得る。
【００３０】
明細書を通して、ある部分がある構成要素を「含む」、「含める」と述べる際、これは、特にそれを否定する記載がない限り、他の構成要素は排除することではなく、他の構成要素をさらに含む、または、含めることができるということを意味する。
【００３１】
図１は、本発明の第１の実施例におけるレーザー距離測定器を図示した構成図であり、図２は、レーザー距離測定器を利用して物体間の距離を測定する方法に係る概略図であり、図3は、本発明の第２の実施例に基づき、レーザー距離測定器を利用して物体自体の長さを測定する方法に係る概略図であり、図４は、レーザー距離測定器を利用して物体自体の長さを測定する計算方法に係る概略図である。
【００３２】
図１に示すように、本発明におけるレーザー距離測定器（１００）は、第１レーザー発信部（１０Ａ）、第２レーザー発信部（１０Ｂ）、第１レーザー受信部（２０Ａ）、第２レーザー受信部（２０Ｂ）、第１モジュール（Ａ）、第２モジュール（Ｂ）、時間測定部（３０）、角度測定部（４０）、演算部（５０）及び表示部（６０）を含めて構成されることができる。
【００３３】
先ず、第１レーザー発信部（１０Ａ）及び第２レーザー発信部（１０Ｂ）は、レーザーを送出する役割をすることができる。このとき、第１レーザー発信部（１０Ａ）及び第２レーザー発信部（１０Ｂ）は，互いに相異なる方向、例えば、反対方向へレーザーを送出することができる。
【００３４】
図１及び図２を参照しながら、本発明の第１の実施例をみると、使用者から一側に第１特定物体（Ｗ１）が位置し、他側に第２特定物体（Ｗ２）が位置し、使用者が第１特定物体（Ｗ１）と第２特定物体（Ｗ２）との間の距離を測定しようとするとき、使用者は第１レーザー発信部（１０Ａ）と第２レーザー発信部（１０Ｂ）それぞれからレーザーを送出するように指示する一つ以上の動作ボタン（１１）を利用し、第１レーザー発信部（１０Ａ）から第１特定物体（Ｗ１）へ、第２レーザー発信部（１０Ｂ）からは第２特定物体（Ｗ２）へレーザーが送出されるようにすることができる。
【００３５】
この際、使用者は、第１特定物体（Ｗ１）または、第２特定物体（Ｗ２）に比較的に偏って位置しても、関係なく、第１特定物体（Ｗ１）と第２特定物体（Ｗ２）との間の距離を測定することができる。
【００３６】
従来のレーザー測定器の場合、使用者が第１特定物体（Ｗ１）と第２特定物体（Ｗ２）との間の距離を測定しようとするとき、第１特定物体（Ｗ１）でレーザー距離測定器を作動し、第２特定物体（Ｗ２）に向かってレーザーを送出し、第１特定物体（Ｗ１）と第２特定物体（Ｗ２）との間の距離を測定していた。つまり、使用者が必ず測定距離の始発点に位置しなければならない。
【００３７】
しかし、本発明の第１の実施例におけるレーザー測定器（１００）は、第１レーザー発信部（１０Ａ）と第２レーザー発信部（１０Ｂ）が、互いに相異なる方向にレーザーを送出するため、使用者が第１特定物体（Ｗ１）と第２特定物体（Ｗ２）にレーザーを送出できる限り、どの位置から測定しても容易に距離を測定することができる。つまり、第１特定物体（Ｗ１）と第２特定物体（Ｗ２）にレーザーを送出できる限り、使用者の位置には制約がない。
【００３８】
レーザー距離測定器（１００）を利用して、第１特定物体（Ｗ１）と第２特定物体（Ｗ２）との間の距離を測定する方法については、より詳しく後述する。
【００３９】
続いて、第１レーザー受信部（２０Ａ）及び第２レーザー受信部（２０Ｂ）は、第１レーザー発信部（１０Ａ）及び第２レーザー発信部（１０Ｂ）からそれぞれ送出された後、特定物体に反射して戻ってくるレーザーを受信する役割をする。
【００４０】
前述の通り、使用者から一側に第１特定物体（Ｗ１）が位置し、他側に第２特定物体（Ｗ２）が位置し、使用者が一つ以上の動作ボタン（１１）を押すと、第１特定物体（Ｗ１）に向かって第１レーザー発信部（１０Ａ）からレーザーが送出され、このレーザーは、第１特定物体（Ｗ１）に反射して第１レーザー受信部（２０Ａ）により受信されることが可能である。これと同様に、第２特定物体（Ｗ２）に向かって第２レーザー発信部（１０Ｂ）から送出されるレーザーは、第２特定物体（Ｗ２）に反射して、第２レーザー受信部（２０Ｂ）により受信されることが可能である。
【００４１】
このようなレーザー距離測定器（１００）は、第１レーザー発信部（１０Ａ）と第１レーザー受信部（２０Ａ）が含まれる第１モジュール（Ａ）及び第２レーザー発信部（１０Ｂ）と第２レーザー受信部（２０Ｂ）が含まれる第２モジュール（Ｂ）に分かれて構成されることができ、または、第１レーザー発信部（１０Ａ）、第２レーザー発信部（１０Ｂ）、第１レーザー受信部（２０Ａ）及び第２レーザー受信部（２０Ｂ）が一つのモジュールとして構成されることもできることに留意したい。
【００４２】
第１モジュール（Ａ）及び第２モジュール（Ｂ）は、着脱可能であり、初期に互いに反対方向に向かうように位置されることが可能である。また、ヒンジ結合によって角度調整ができるように構成されることもあり得る。
【００４３】
このように、第１モジュール（Ａ）及び第２モジュール（Ｂ）は、それぞれ角度調整が可能であることにより、第１特定物体と第２特定物体との間の距離だけでなく、第３特定物体そのもの（図３のＷ３）の長さを測定することもできる。これについては、後述する図３及び図４でより詳しく説明する。
【００４４】
時間測定部（３０）は、レーザーが送出された時間と受信された時間を測定する役割をすることができる。
【００４５】
このような時間測定部（３０）により、レーザーが送出された時間と受信された時間を測定した上で、送出された時間と受信された時間に基づいて第１特定物体（Ｗ１）と第２特定物体（Ｗ２）との間の距離と第３特定物体（図３のＷ３）の長さを測定することができる。
【００４６】
角度測定部（４０）は、第１モジュール（Ａ）と第２モジュール（Ｂ）の間の夾角を測定する役割をすることができる。
【００４７】
このような角度測定部（４０）により、第１モジュール（Ａ）と第２モジュール（Ｂ）の間の夾角を測定することができ、また、第１レーザー発信部（１０Ａ）と第３特定物体（図３のＷ３）の距離及び第２レーザー発信部（１０Ｂ）と第３特定物体（図３のＷ３）との距離を測定して第３特定物体（図３のＷ３）の長さを容易に測定することができる。
【００４８】
演算部（５０）は、時間測定部（３０）により測定されたレーザーが送出された時間と受信された時間に基づいて、第１レーザー発信部（１０Ａ）及び第２レーザー発信部（１０Ｂ）と特定物体との間の距離をそれぞれ計算する役割をすることができる。
【００４９】
本発明の第１の実施例において、使用者から一側に第１特定物体（Ｗ１）が位置し、他側に第２特定物体（Ｗ２）が位置し、使用者が一つ以上の動作ボタン（１１）を押すと、第１特定物体（Ｗ１）に向かって第１レーザー発信部（１０Ａ）からレーザーが送出され、このレーザーは、第１特定物体（Ｗ１）に反射して第１レーザー受信部（２０Ａ）により受信されることが可能である。これと同様に、第２特定物体（Ｗ２）に向かって第２レーザー発信部（１０Ｂ）から送出されるレーザーは、第２特定物体（Ｗ２）に反射して、第２レーザー受信部（２０Ｂ）により受信されることが可能である。
【００５０】
このとき、時間測定部（３０）によりレーザーが送出された時間と受信された時間が測定され、演算部（５０）は、第１レーザー発信部（１０Ａ）及び第２レーザー発信部（１０Ｂ）からレーザーが送出された時間と、第１レーザー受信部（２０Ａ）及び第２レーザー受信部（２０Ｂ）によりレーザーが受信された時間に基づいて、第１レーザー発信部（１０Ａ）と第１特定物体（Ｗ１）の距離及び第２レーザー発信部（１０Ｂ）と第２特定物体（Ｗ２）との距離をそれぞれ計算することができる。
【００５１】
つまり、演算部（５０）は、第１レーザー発信部（１０Ａ）と第１特定物体（Ｗ１）との距離及び第２レーザー発信部（１０Ｂ）と第２特定物体（Ｗ２）との距離を合算して、第１特定物体（Ｗ１）と第２特定物体（Ｗ２）との間の距離を測定することができる。
【００５２】
より詳しくは、第１レーザー発信部（１０Ａ）と第１特定物体（Ｗ１）との間の距離をａ１、第２レーザー発信部（１０Ｂ）と第２特定物体（Ｗ２）との間の距離をａ２、レーザー距離測定器（１００）の長さをａ３、第１特定物体（Ｗ１）と第２特定物体（Ｗ２）との間の距離をａ４だとすると、下記の数式１のように、第１特定物体（Ｗ１）と第２特定物体（Ｗ２）との間の距離を算出することが可能である。
【００５３】
【数１】
2018519509.tif 000003
【００５４】
また、演算部（５０）は、第１レーザー発信部（１０Ａ）及び第２レーザー発信部（１０Ｂ）のそれぞれから第３特定物体（Ｗ３）の一側と他側との距離及び角度測定部（４０）で測定した夾角を計算する役割をすることもできる。
【００５５】
ここで、図３及び図４を参照しながら、本発明の第２の実施例を見ると使用者は、第３特定物体（Ｗ３）に向かって位置し、第１モジュール（Ａ）及び第２モジュール（Ｂ）、それぞれの角度調整が可能であることにより、第３特定物体（Ｗ３）の一側に向けて第１モジュール（Ａ）に含まれている第１レーザー発信部（未図示）からレーザーが送出され、このレーザーは、第３特定物体（Ｗ３）の一側に反射して第１モジュール（Ａ）の第１レーザー受信部（未図示）により受信されることが可能である。これと同様に、第３特定物体（Ｗ３）の他側に向かって第２モジュール（Ｂ）に含まれた第２レーザー発信部から送出されるレーザーは、第３特定物体（Ｗ３）の他側に反射し、第２モジュール（Ｂ）の第２レーザー受信部により受信されることが可能である。
【００５６】
この際、時間測定部（図１の３０）により、レーザーが送出された時間と受信された時間が測定され、角度測定部（図１の４０）により第１モジュール（Ａ）と第２モジュール（Ｂ）との間の夾角が測定されることが可能である。
【００５７】
演算部（図１の５０）は、レーザーの送出及び受信時間と夾角を利用して第３特定物体（Ｗ３）そのものの長さを測定することができる。
【００５８】
具体的に、第１モジュール（Ａ）と第３特定物体（Ｗ３）の一側までの距離をｄ１、第２モジュール（Ｂ）と第３特定物体（Ｗ３）の他側までの距離をｄ２、第３特定物体（Ｗ３）そのものの長さをｄ３、第１モジュール（Ａ）と第２モジュール（Ｂ）との夾角をθとする場合、下記の数式２のように、第３特定物体（Ｗ３）そのものの長さが算出されることができる。
【００５９】
【数２】
2018519509.tif 000004
【００６０】
図１と図２に戻り、表示部（６０）は、演算部（５０）から算出された第１特定物体（Ｗ１）と第２特定物体（Ｗ２）との間の距離及び第３特定物体（図３のＷ３）そのものの長さのうち、いずれか一つ以上を表示する役割をすることができる。
【００６１】
このような表示部（６０）は、使用者に視覚的な出力を提供するが、例えば、テキスト、イメージ及びグラフィックなどを提供することができる。
【００６２】
前述の通り、本発明の第１の実施例におけるレーザー距離測定器は、使用者から一側に第１特定物体が位置し、他側に第２特定物体が位置し、使用者が一つ以上の動作ボタンを押すと、第１特定物体に向かって第１レーザー発信部からレーザーが送出され、このレーザーは第１特定物体に反射して第１レーザー受信部により受信されることが可能である。これと同様に、第２特定物体に向かって第２レーザーから送出されるレーザーは、第２特定物体に反射して第２レーザー受信部により受信されることが可能である。
【００６３】
このとき、時間測定部によって、レーザーが送出された時間と受信された時間が測定され、演算部は第１レーザー発信部及び第２レーザー発信部からレーザーが送出された時間と、第１レーザー受信部及び第２レーザー受信部からレーザーが受信された時間に基づき、第１特定物体と第２特定物体との間の距離を計算することができる。
【００６４】
これにより、使用者は第１特定物体と第２特定物体にレーザーを送出することのできる位置なら、いかなる制約も受けずに、どの位置から測定しても第１特定物体と第２特定物体との間の距離を容易に測定することができる。
【００６５】
また、本発明の第２の実施例におけるレーザー距離測定器は、使用者が第３特定物体に向かって位置し、第１モジュール及び第２モジュール、それぞれの角度調整が可能であることにより、第３特定物体の一側に向かって第１モジュールに含まれた第１レーザー発信部からレーザーが送出され、このレーザーは、第３特定物体の一側に反射し第１モジュールの第１レーザー受信部により受信されることが可能である。これと同様に、第３特定物体の他側に向かって第２モジュールに含まれた第２レーザー発信部から送出されるレーザーは、第３特定物体の他側に反射し、第２モジュールの第２レーザー受信部により受信されることが可能である。
【００６６】
このとき、時間測定部により、レーザーが送出された時間と受信された時間が測定され、角度測定部により、第１モジュールと第２モジュールとの間の夾角が測定され、演算部は、レーザーの送出及び受信時間と夾角を利用し、第３特定物体そのものの長さを測定することができる。
【００６７】
これにより、使用者は、別途の反射板がなくても第３特定物体そのものの長さを容易に測定することができる。
【００６８】
また、本発明の第２の実施例におけるレーザー距離測定器は、前述の方法を利用して四角形の横と縦の長さ及び高さを測定することで、四角形の面積を測定することもできる。
【００６９】
上記の説明では、本発明の望ましい実施例を参照して説明しているが、当業界における通常の知識を持つ者であれば、以下の特許請求範囲に記載する本発明の思想及び領域を逸脱しない範囲内で、本発明を多様な形に修正または変更することができることを理解できる。
【図１】
2018519509.tif 000005
【図２】
2018519509.tif 000006
【図３】
2018519509.tif 000007
【図４】
2018519509.tif 000008
【手続補正書】
【提出日】平成30年2月9日(2018.2.9)
【手続補正１】
【補正対象書類名】特許請求の範囲
【補正対象項目名】全文
【補正方法】変更
【補正の内容】
【特許請求の範囲】
【請求項１】
レーザーを送出する第１レーザー発信部及び第２レーザー発信部；
前記第１レーザー発信部及び前記第２レーザー発信部からそれぞれ送出され特定物体に反射するレーザーを受信する第１レーザー受信部及び第２レーザー受信部：及び、
前記第１レーザー発信部及び前記第２レーザー発信部と前記特定物体との間の距離を計算する演算部；を含み、
前記第１レーザー発信部及び前記第２レーザー発信部は互いに相異なる方向にレーザーを送出することを特徴とする、レーザー距離測定器。
【請求項２】
前記第１レーザー発信部及び前記第２レーザー発信部は、互いに相異なる方向にレーザーを送出することを特徴とする、請求項１に記載のレーザー距離測定器。
【請求項３】
前記演算部は、前記レーザーが送出された時間と受信された時間に基づき、前記第１レーザー発信部及び前記第２レーザー発信部それぞれと、前記特定物体との間の距離を計算することを特徴とする、請求項１に記載のレーザー距離測定器。
【請求項４】
前記演算部は、前記第１レーザー発信部と前記特定物体との間の距離及び前記第２レーザー発信部と前記特定物体との間の距離の合計を計算することを特徴とする、請求項１に記載のレーザー距離測定器。
【請求項５】
前記第１レーザー発信部及び前記第１レーザー受信部を含む第１モジュール；及び、
前記第２レーザー発信部及び前記第２レーザー受信部を含む第２モジュール；をさらに含むことを特徴とする、請求項１に記載のレーザー距離測定器。
【請求項６】
前記第１モジュール及び前記第２モジュールは、互いに反対方向に向かうように初期位置が設置されることを特徴とする、請求項５に記載のレーザー距離測定器。
【請求項７】
前記第１モジュール及び前記第２モジュールはそれぞれ、角度調整ができるように構成されることを特徴とする、請求項６に記載のレーザー距離測定器。
【請求項８】
前記第１モジュール及び前記２モジュールはそれぞれ、着脱可能に構成されることを特徴とする、請求項５に記載のレーザー距離測定器。
【請求項９】
前記第１モジュール及び前記第２モジュールとの間の角度を測定する角度測定部；をさらに含むことを特徴とする、請求項５に記載のレーザー距離測定器。
【請求項１０】
前記演算部は、前記第１レーザー発信部及び前記第２レーザー発信部からそれぞれ送出されるレーザーが前記特定物体に反射する距離及び前記角度測定部で測定される夾角を利用して前記特定物体そのものの長さを計算することを特徴とする、請求項９に記載のレーザー距離測定器。
【国際調査報告】
2018519509.tif 000009
2018519509.tif 000010
2018519509.tif 000011
2018519509.tif 000012